(57)【特許請求の範囲】
【請求項１】
同時に呼び出しができる数が限られている条件をもつ携帯電話機、ＰＨＳ等の移動端末の交換機の一斉呼び出し方式において、前記携帯電話機、ＰＨＳ等の移動端末の複数個をグループとして登録管理するデータベース装置を交換機内に具備し、逐次呼び出す移動端末を変更することで、同時に呼び出しができる数よりも多数の移動端末を呼び出すことを特徴とする一斉呼び出し方式。
【発明の詳細な説明】
【０００１】
【発明の属する技術分野】
本発明は、一斉呼び出し方式に係わり、得に携帯電話、ＰＨＳ等の移動端末を同時に呼び出す数が限られて条件をもつ交換機で、同時に呼び出すことができる数よりも多数の移動端末を呼び出す一斉呼び出し方式に関する。
【０００２】
【従来の技術】
従来のシステムの構成図を説明する。図６で、１０１，１０２，１０３，１０４、２０１，２０２，２０３，２０４は移動端末であり、電波を介して送受信機２と通信する。１は交換機で送信機２と接続している。３０は交換機１に具備されているデータベースを示している。４１，４２，４３は電話端末で交換機１と接続している。データベースの説明を図７に示す。図７は移動端末をグループ分けにする表で、グループ１００には移動端末の１０１，１０２，１０３，１０４が属し、グループ２００には移動端末の２０１，２０２，２０３，２０４が属し、グループ３００には移動端末の１０１，２０１，１０３，２０４が属すことを表している。
【０００３】
電話端末４１が移動端末１０１を呼び出し操作すると交換機１は送信機２を通じて移動端末１０１との通信路を確保し１対１がの通話が実現できる。電話端末がグループ１００を選択して一斉呼び出しをすると、交換機１はデータベース３０に構成した移動端末をグループ分けにする表より一斉発呼する移動端末番号を取り出し、送信機２からグループ１００に属する移動端末１０１，１０２，１０３，１０４を呼び出す。いずれかの移動端末が呼び出しに応答すると一斉呼び出しが終了し、応答した移動端末と電話端末は通話し、応答しなかった移動端末は待ち受けになる。または電話端末が呼び出しを中断するとすべての移動端末は待ち受けになる。
【０００４】
一斉呼び出しができる移動端末の機器数は限定されている条件下で、グループ１００とグループ２００の双方を呼び出したい時には、たとえば一斉呼び出し数が４に限定されている時には、移動端末機１０１，１０２，１０３，１０４、２０１，２０２，２０３，２０４のうちから４台を選択して、グループ３００を用意し例えば１０１、２０１、１０３、２０４を設定しておく必要があり８台すべての端末機を呼び出すことはできない。
【０００５】
【発明が解決しようとする課題】
しかしながら、このような一斉呼び出し方式では、一斉呼び出し数に制限があるため、呼び出したい移動端末数が一斉呼び出し数よりも多い場合に対応できる方法がなかった。
本発明は、このような難点を解決するためになされたもので、一斉呼び出し数に制限されない一斉呼び出し方法を目的としている。
【０００６】
【課題を解決するための手段】
上記の目的を達成するため、本発明による一斉呼び出し方式は、同時に呼び出しができる数が限られている条件をもつ携帯電話機、ＰＨＳ等の移動端末の交換機の一斉呼び出し方式において、携帯電話機、ＰＨＳ等の移動端末の複数個をグループとして登録管理するデータベース装置を交換機内に具備し、逐次呼び出す移動端末を変更することで、同時に呼び出しができる数よりも多数の移動端末を呼び出すことを特徴とする一斉よびだし方式。
【０００７】
この一斉呼び出し方式において、交換機はデータベース装置にグループと移動端末の関係を記憶し、同時に複数のグループを群とグループの関係として記憶する。群に対して一斉呼び出しを行うと、交換機はグループと群の関係を参照して、指定時間後に呼び出すグループを変えることで一斉呼び出し数に制限がある交換機でも一斉呼び出し数を越えた携帯端末を呼び出すことができる。
【０００８】
【発明の実施の形態】
以下、本発明による一斉呼び出しの実施例をシステムの構成図に基づいて説明する。図１で、１０１，１０２，１０３，１０４、２０１，２０２，２０３，２０４は移動端末であり、電波を介して送受信機２と通信する。１は交換機で送信機２と接続している。３０は交換機１に具備されているデータベースを示している。４１，４２，４３は電話端末で交換機１と接続している。データベースの説明を図２、図３に示す。図２はグループと移動端末の関係を示す表で、グループ１００には移動端末の１０１，１０２，１０３，１０４が属し、グループ２００には移動端末の２０１，２０２，２０３，２０４が属すことを表している。図３は群とグループの関係を示す表で、群５１はグループ１００を示し、群５２はグループ２００を示し、群５３はグループ１００とグループ２００を示している。
【０００９】
動作を図４に示すフローチャートに基づいて説明する。電話端末４１が群５３を指定して一斉呼び出しをすると、交換機は群を使用した一斉呼び出しを検知してグループ指定値に１を設定する（ＳＴ−１）。群とグループの関係を示す図３の群５３でグループ指定値が示す１番目でグループ１００を読み出す（ＳＴ−２）。グループが存在したので（ＳＴ−３）、グループと移動端末の関係を示す図２のグループ１００に属する１０１、１０２、１０３，１０４を呼び出しをする移動端末番号として抽出する（ＳＴ―４）。グループ指定値に１を加えて２とする（ＳＴ−５）。一斉呼び出しを実行する（ＳＴ−６）。移動端末が呼び出しに応答する（ＳＴ−７）、または電話端末が呼び出しを中断する（ＳＴ―８）まで待つ。一定時間が経過した時は（ＳＴ―９）、グループ指定値を参照して群とグループの関係を示す図３によりグループ２００を取り出し（ＳＴ−２）、以下処理を繰り返す。グループ２００も応答がない時は、（ＳＴ−２）において、グループ指定値が３で群とグループの関係を示す図３により群５３を参照するが、グループ番号が存在しないので（ＳＴ−３）、グループ指定値に１を設定して（ＳＴ−１）群とグループの関係を示す図３により群５３を参照し直す（ＳＴ−２）。
【００１０】
以上の説明から明らかなように、指定時間後に呼び出すグループを変えれば一斉呼び出し数に制限がある交換機でも一斉呼び出し数を越えた移動端末を呼び出すことができる。
【００１１】
上記方式はグループ単位で一斉呼び出しをしたが、グループをまたがって一斉呼び出しをする方法がある。その動作を図５に示すフローチャートに基づいて説明する。同時に呼び出しができる数を４とする。電話端末４１が群５３を指定して一斉呼び出しをすると、交換機は群を使用した一斉呼び出しを検知してグループ毎の端末指定値に１を設定し（ＳＴ−４１）。群指定値に１を設定する。（ＳＴ−４２）。群とグループの関係を示す図３で群５３を選び群指定値から１番目のグループ１００を取り出す（ＳＴ−４３）。グループが存在するので（ＳＴ−４４）、群指定値に１を加えて２とする（ＳＴ−４５）。グループと移動端末の関係を示す図２のグループ１００の列をグループ１００端末指定値を要素番号として１番目の１０１を抽出する（ＳＴ−４６）。端末が存在したので（ＳＴ−４７）グループ１００端末指定値に１を加えて２とする（ＳＴ―４９）。抽出数が同時に呼び出しする数より少ないので（ＳＴ−５０）群とグループの関係を示す図３で群５３を選び群指定値から２番目のグループ２００を取り出し（ＳＴ−４３）へ戻る。グループが存在したので（ＳＴ−４４）群指定値に１を加えて３とする（ＳＴ−４５）。グループと移動端末の関係を示す図２のグループ２００の列をグループ２００端末指定値を要素番号として１番目の２０１を抽出する（ＳＴ−４６）。端末が存在したので（ＳＴ−４７）グループ２００端末指定値を２とする（ＳＴ―４９）。抽出数が同時に呼び出しする数より少ないので（ＳＴ−５０）群とグループの関係を示す図３で群５３を選び群指定値から３番目委のグループを選ぶ（ＳＴ−４３）。グループが存在しないので（ＳＴ−４４）群指定値に１を設定して（ＳＴ−４２）再度群とグループの関係を示す図３から群５３を参照してグループ１００を選ぶ（ＳＴ−４３）。以下同様にして１０２を抽出し。２０２を抽出すると抽出数が同時に呼び出しする数に達したので（ＳＴ−５０）一斉呼び出しを実行する（ＳＴ−５１）。移動端末が呼び出しに応答する（ＳＴ−５２）、または電話端末が呼び出しを中断する（ＳＴ―５３）まで待つ。一定時間が経過した時は（ＳＴ―５４）、同様にして端末指定値を要素番号としてグループ１００の３番目の１０３とグループ２００の３番目の２０３とグループ１００の４番目の１０４とグループ２００の４番目の２０４を呼び出しをする移動端末番号として抽出するして一斉呼び出しを行う。一定時間が経過した時は（ＳＴ−５４）、群指定値は３、グループ１００端末指定値は５、グループ２００端末指定値は５となっている。処理は（ＳＴ―４３）から繰り返され、群とグループの関係を示す図３で群５３の３番目は存在しないので（ＳＴ−４４）群指定値は１に設定されて（ＳＴ−４２）、群５３の１番目のグループ１００を得る（ＳＴ−４３）。グループと移動端末の関係を示す図２でグループ１００をグループ１００端末指定値で調べると端末番号がないので（ＳＴ−４７）グループ１００端末指定値を１に設定する（ＳＴ−４８）。ふたたびグループ１００を調べて１０１を得る（ＳＴ−４６）。以下処理が続く。
【００１２】
【発明の効果】
以上の説明から明らかなように本発明の一斉呼び出し方式によれば、同時に呼び出しができる端末数が制限されている場合でも、制限を越えた端末数の呼び出しが可能となる。
【図面の簡単な説明】
【図１】本発明の一斉呼び出し方式を説明するシステムの構成図。
【図２】本発明の一斉呼び出し方式を説明するデータベース装置の説明図。
【図３】本発明の一斉呼び出し方式を説明するデータベース装置の説明図。
【図４】本発明の一斉呼び出し方式を説明する流れ図。
【図５】本発明の一斉呼び出し方式を説明する他の流れ図。
【図６】従来の一斉呼び出し方式を説明するシステムの構成図
【図７】従来の一斉呼び出し方式を説明するデータベース装置の説明図。
【符号の説明】
１      ・・・・交換機
２      ・・・・送信機
３０    ・・・・データベース装置
１０１〜１０４、２０１〜２０４・・・・移動端末番号
５１〜５４・・・・呼び出し子機
【図１】
0004267745.tif 000002
【図２】
0004267745.tif 000003
【図３】
0004267745.tif 000004
【図４】
0004267745.tif 000005
【図５】
0004267745.tif 000006
【図６】
0004267745.tif 000007
【図７】
0004267745.tif 000008